(57)【要約】【課題】衣類の抜け落ちやずれを防止しつつ衣類の前面等の主要部のデザイン、色彩・柄模様、形状等の全体像が隠れてしまわず、特長点やアピール点が見過ごされたり、見落とされることを無くし得る衣類陳列展示具を提供すること。【解決手段】横長の長方形をなす表面部２と裏面部３とを有し、この表面部２と裏面部３とは長方形の一方の短辺で横方向に一連に連続し、この連続部に折り曲げ部４を形成して表面部２を裏面部３に折り重ね可能とし、裏面部３の上辺に衣類巻き付け部片５を前面側下方へ折り返し可能に連設し、この衣類巻き付け部片５の折り返した上端と裏面部３の上辺との間に係止フック６を設けると共に、表面部２及び裏面部３の下辺に衣類押さえ部片７、８を上方へ折り返し可能に連設してあり、この表裏面部２、３の衣類押さえ部片７、８を前記裏面部３の前面側下方へ折り返された前記衣類巻き付け部片５の前後両面に押圧配置させて衣類９を挟持させるようにしてある。【選択図】図１
0003132597.tif 000002
【実用新案登録請求の範囲】
【請求項１】
横長の長方形をなす表面部と裏面部とを有し、この表面部と裏面部とは長方形の一方の短辺で横方向に一連に連続し、この連続部に折り曲げ部を形成して表面部を裏面部に折り重ね可能とし、裏面部の上辺に衣類巻き付け部片を前面側下方へ折り返し可能に連設し、この衣類巻き付け部片の折り返した上端と裏面部の上辺との間に係止フックを設けると共に、表面部及び裏面部の下辺に衣類押さえ部片を上方へ折り返し可能に連設してあり、この表裏面部の衣類押さえ部片を前記裏面部の前面側下方へ折り返された前記衣類巻き付け部片の前後両面に押圧配置させて衣類を挟持させるようにしてあることを特徴とする衣類陳列展示具。
【請求項２】
前記衣類巻き付け部片は、左右横方向両端に衣類係止用段部を有していることを特徴とする請求項１に記載の衣類陳列展示具。
【請求項３】
前記衣類押さえ部片の上端は、前記衣類係止用段部の高さ方向位置と略同一位置としてあることを特徴とする請求項２に記載の衣類陳列展示具。
【請求項４】
前記表裏面部の衣類押さえ部片は、折り返した上端に鋸歯状凹凸係止部を有していることを特徴とする請求項１〜３の何れか１項に記載の衣類陳列展示具。
【請求項５】
前記表面部と裏面部は、上下方向寸法を表面部よりも裏面部を大きくしてあり、前記衣類巻き付け部片に巻き付けられた衣類の上部を表面部の上方に露出表示させるようにしてあることを特徴とする請求項１〜４の何れか１項に記載の衣類陳列展示具。
【請求項６】
前記表面部は、装飾模様状に配列形成された透孔を有しており、また、上辺には裏面側下方へ折り返し可能な背景部片を備えており、この背景部片には表面部と異なる色彩の着色模様が施され、前記透孔を通して背景部片の着色模様が前面から透視可能としてあることを特徴とする請求項１〜５の何れか１項に記載の衣類陳列展示具。
【考案の詳細な説明】
【技術分野】
【０００１】
本考案は、衣類を陳列展示して販売する場合に使用される衣類陳列展示具に関するもので、パンツ類、ズボン類、スカート類等に適用して好適な衣類陳列展示具に関するものである。
【背景技術】
【０００２】
従来、一枚のシートを折り曲げて重ね合わせて衣類を包み込み、前記シートの折り曲げ端を係止させることによって止め金具等を不要とした衣類の陳列展示具が公知である（例えば、特許文献１，２参照）。
【特許文献１】特開２００２−２９３３９１号公報
【特許文献２】特開２０００−３７２７１号公報
【考案の開示】
【考案が解決しようとする課題】
【０００３】
特許文献１，２の衣類陳列展示具は、衣類を上下方向の中間部等で二つ折りした状態で陳列展示させているため、パンツ類、ズボン類、スカート類等、衣類の種類によっては、前面等の主要部のデザイン、色彩・柄模様、形状等の全体像が隠れてしまい、特長点やアピール点が見過ごされたり、見落とされるなどの点で問題があった。
本考案は、衣類の抜け落ちやずれを防止しつつ衣類の前面等の主要部のデザイン、色彩・柄模様、形状等の全体像が隠れてしまわず、特長点やアピール点が見過ごされたり、見落とされることを無くし得る衣類陳列展示具を提供することを目的としている。
【課題を解決するための手段】
【０００４】
前記目的を達成するために本考案は、横長の長方形をなす表面部と裏面部とを有し、この表面部と裏面部とは長方形の一方の短辺で横方向に一連に連続し、この連続部に折り曲げ部を形成して表面部を裏面部に折り重ね可能とし、裏面部の上辺に衣類巻き付け部片を前面側下方へ折り返し可能に連設し、この衣類巻き付け部片の折り返した上端と裏面部の上辺との間に係止フックを設けると共に、表面部及び裏面部の下辺に衣類押さえ部片を上方へ折り返し可能に連設してあり、この表裏面部の衣類押さえ部片を前記裏面部の前面側下方へ折り返された前記衣類巻き付け部片の前後両面に押圧配置させて衣類を挟持させるようにしてあることを特徴としている。
【０００５】
この構成によれば、衣類巻き付け部片に衣類の上部（例えば、パンツ類、ズボン類、スカート類のウエスト付近）を巻き付けて表面部を裏面部に折り重ねることにより、裏面部と表面部とにそれぞれ設けてある衣類押さえ部片で衣類の上部を表裏（前後）両面から衣類巻き付け部片に向けて押圧させて挟持させることができる。そして、この状態で係止フックにより、陳列ロッドや陳列バー等に吊り下げ係止させることができる。このように、本考案の衣類陳列展示具は、衣類の上部を表面部で若干隠すことになるが、他の大部分を展開状態で陳列展示することができ、衣類の前面等の主要部のデザイン、色彩・柄模様、形状等の全体像が隠れてしまわず、特長点やアピール点が見過ごされたり、見落とされることを無くし得るものである。
【０００６】
また、前記衣類巻き付け部片は、左右横方向両端に衣類係止用段部を有していることを特徴としている。
この構成によれば、衣類巻き付け部片に巻き付けた衣類を左右横方向両端において、衣類係止用段部に係止させて保持させることができ、陳列展示中における衣類の抜け落ちを防止することができる。
また、前記衣類押さえ部片の上端は、前記衣類係止用段部の高さ方向位置と略同一位置としてあることを特徴としている。
【０００７】
この構成によれば、陳列展示中における衣類を左右前後に亘って同一高さ位置で係止保持して抜け落ちを防止することができる。
また、前記表裏面部の衣類押さえ部片は、折り返した上端に鋸歯状凹凸係止部を有していることを特徴としている。
この構成によれば、陳列展示中の衣類の抜け落ちを一層確実に防止することができる。
また、前記表面部と裏面部は、上下方向寸法を表面部よりも裏面部を大きくしてあり、前記衣類巻き付け部片に巻き付けられた衣類の上部を表面部の上方に露出表示させるようにしてあることを特徴としている。
【０００８】
この構成によれば、衣類の上部、例えば、パンツ類、ズボン類、スカート類のウエスト部（ウエストゴムやウエストバンドを含む部分）を表面部の上部に露出表示させて陳列展示することができ、衣類のこの部分のデザインや装飾などを顧客の視覚にアピールすることができる。
前記表面部は、装飾模様状に配列形成された透孔を有しており、また、上辺には裏面側下方へ折り返し可能な背景部片を備えており、この背景部片には表面部と異なる色彩の着色模様が施され、前記透孔を通して背景部片の着色模様が前面から透視可能としてあることを特徴としている。
【０００９】
この構成によれば、表面部の透孔の装飾模様状配置と背景部片の着色模様とによって、装飾効果に富み、奥行きのある立体的なデザインの衣類陳列展示具を提供することができる。
【考案の効果】
【００１０】
本考案によれば、衣類の抜け落ちやずれを防止しつつ衣類の前面等の主要部のデザイン、色彩・柄模様、形状等の全体像が隠れてしまわず、特長点やアピール点が見過ごされたり、見落とされることを無くし得る衣類陳列展示具を提供することができる。
【考案を実施するための最良の形態】
【００１１】
以下、本考案に係る衣類陳列展示具の実施の形態を図面に基づいて説明する。
本考案の衣類陳列展示具１は、図１〜図７に示すように、横長の長方形をなす表面部２と裏面部３とを有し、この表面部２と裏面部３とは長方形の一方の短辺で横方向に一連に連続し、この連続部に折り曲げ部４を形成して表面部２を裏面部３に折り重ね可能とし、裏面部３の上辺に衣類巻き付け部片５を前面側下方へ折り返し可能に連設し、この衣類巻き付け部片５の折り返した上端と裏面部の上辺との間に係止フック６を設けると共に、表面部２及び裏面部３の下辺に衣類押さえ部片７、８を上方へ折り返し可能に連設してあり、この表裏面部２、３の衣類押さえ部片７、８を裏面部３の前面側下方へ折り返された衣類巻き付け部片５の前後両面に押圧配置させて衣類９を挟持させるようにしてある。
【００１２】
衣類巻き付け部片５は、衣類９の左右両側での巻き付け厚さに相当する程度の寸法分だけ裏面部３の横幅寸法より若干狭い幅とされ、全体として、上端から下端に向けて幅狭となるように傾斜した両側面を有し、この両側面となる左右横方向両端に衣類係止用段部５ａ、５ｂを有している。この衣類係止用段部５ａ、５ｂは、衣類巻き付け部片５の上下方向高さの途中であればよく、図示例では、上下方向高さの中央よりやや上に形成した場合を例示している。
衣類押さえ部片７、８は、図２に示すように、表面部２及び裏面部３の下辺から下方へ一連に延長して形成されており、その横幅寸法は、衣類押さえ部片７、８と略同一又は下方が若干狭くなるように傾斜した両側辺とされ、上下方向の長さ寸法は、表面部２の上下方向寸法と略同一としてある。これは、衣類押さえ部片７、８を上方へ折り返したとき、その上端が、衣類係止用段部５ａ、５ｂの高さ方向位置と略同一位置となるようにするためである。
【００１３】
表裏面部２、３の衣類押さえ部片７、８は、折り返した上端に鋸歯状凹凸係止部７ａ、８ａを有している。
表面部２と裏面部３とは横方向長さを同一とされており、表面部２と裏面部３の下辺は同一線上に形成されている。そして、表面部２と裏面部３は、上下方向寸法を表面部２よりも裏面部３を大きくしてあり、前記衣類巻き付け部片５に巻き付けられた衣類９の上部を表面部２の上方に露出表示させるようにしてある。表面部２と裏面部３の上下方向寸法差は、衣類９の上部のウエストゴム部やウエストバンド部の上下方向幅に対応したものとした場合を例示しているが、これに制約されるものではなく、用途や目的に応じて、適宜に設定することができる。
【００１４】
表面部２は、図２、図３に示すように、装飾模様状に配列形成された透孔１０を有しており、また、上辺には裏面側下方へ折り返し可能な背景部片１１を備えており、この背景部片１１には表面部２と異なる色彩の着色模様が施され、前記透孔１０を通して背景部片１１の着色模様が前面から透視可能としてある。そのために、背景部片１１は、図２に示す展開状態の裏面側に表面部２と異なる色彩の着色模様が施されており、この背景部片１１を裏面側下方へ折り返すことにより、裏面側に施された着色模様が表面部２の透孔１０から透視できるように構成されている。
【００１５】
表面部２には、図２に示すように、裏面部３の反対側となる短辺に係止片１２が一連に延長形成されており、この係止片１２に対応して、裏面部３に係止孔１３がスリット状切り目として形成されている。この係止片１２は、裏面側に折り返し可能とされており、裏面側へ折り返して裏面部３の係止孔１３に挿入することにより、図４に示すように表面部２を裏面部３に重ね合わせた状態で係止保持させることができるようにしている。
表面部２、裏面部３、衣類巻き付け部片５、衣類押さえ部片７、８、背景部片１１及び係止片１２は、図２に示すように、１枚の紙シートから裁断形成される。なお、用途によっては、樹脂シートで構成してもよい。係止フック６は、別体とし、裏面部３の上辺側に形成されたスリット１４に挿入係止されている。
【００１６】
本考案に係る衣類陳列展示具１の実施の形態は以上の構成からなり、次に、その使用の要領を説明する。先ず、図７に示すように折り曲げておき、この状態で、衣類巻き付け部片５に衣類の上部、例えば、図８（Ａ）〜（Ｃ）に示すようなパンツ類、ズボン類、スカート類のウエスト付近を巻き付けて表面部２を裏面部３に折り重ねる。これにより、図５に示すように、裏面部３と表面部２とにそれぞれ設けてある衣類押さえ部片８、７で衣類９の上部を表裏（前後）両面から衣類巻き付け部片５に向けて折り曲げ部の反発弾性により押圧させて挟持させることができる。そして、この状態で係止フック６により、陳列ロッドや陳列バー等に吊り下げ係止させることができる。尚、衣類９は、図８（Ｄ）に示すように、ウエスト部の穿き口部を衣類巻き付け部片５に穿かせるように装着してもよい。
【００１７】
このように、本考案の衣類陳列展示具１は、衣類９の上部を表面部２で若干隠すことになるが、他の大部分を展開状態で陳列展示することができ、衣類９の前面等の主要部のデザイン、色彩・柄模様、形状等の全体像が隠れてしまわず、特長点やアピール点が見過ごされたり、見落とされることを無くし得るものである。
また、衣類巻き付け部片５は、左右横方向両端に衣類係止用段部５ａ、５ｂを有しているため、衣類巻き付け部片５に巻き付けた衣類９を左右横方向両端において、衣類係止用段部５ａ、５ｂに係止させて保持させることができ、陳列展示中における衣類９の抜け落ちを防止することができる。
【００１８】
また、衣類押さえ部片５の上端は、衣類係止用段部５ａ、５ｂの高さ方向位置と略同一位置としてあるため、陳列展示中における衣類９を左右前後に亘って同一高さ位置で係止保持して抜け落ちを防止することができる。
また、表裏面部２、３の衣類押さえ部片７、８は、折り返した上端に鋸歯状凹凸係止部７ａ、８ａを有しているため、陳列展示中の衣類９の抜け落ちを一層確実に防止することができる。
また、表面部２と裏面部３は、上下方向寸法を表面部２よりも裏面部３を大きくしてあり、衣類巻き付け部片５に巻き付けられた衣類９の上部を表面部２の上方に露出表示させるようにしてあるため、衣類９の上部、例えば、パンツ類、ズボン類、スカート類のウエスト部（ウエストゴムやウエストバンドを含む部分）を表面部２の上部に露出表示させて陳列展示することができ、衣類９のこの部分のデザインや装飾などを顧客の視覚にアピールすることができる。
【００１９】
また、表面部２は、装飾模様状に配列形成された透孔１０を有しており、また、上辺には裏面側下方へ折り返し可能な背景部片１１を備えており、この背景部片１１には表面部２と異なる色彩の着色模様が施され、前記透孔１０を通して背景部片１１の着色模様が前面から透視可能としてあるため、表面部２の透孔１０の装飾模様状配置と背景部片１１の着色模様とによって、装飾効果に富み、奥行きのある立体的なデザインの衣類陳列展示具１を提供することができる。
本考案の実施の形態の構成及び作用効果は以上であるが、本考案は、この実施の形態にのみ制約されるものではなく、特許性球の範囲に記載された範囲内で自由に変更して実施することができる。また、対象とする衣類は、パンツ類、ズボン類、スカート類等以外の衣類に適用してもよく、また、長いものや幅広のものは、折り畳んで適用してもよい。そして、表面部２と裏面部３には、用途・目的等に応じて適宜の色彩で着色（適用する衣類の地色と異なる色彩とするのが好ましい）を施し、表面部２には、例えば、図形、文字（ロゴマーク、商標、キャッチフレーズ等）、模様等を透孔１０とのバランスを考慮して印刷し、商品ラベル（商品名、素材、サイズ等を印刷してあるラベル）を貼付可能とし、裏面部３には、当該衣類の取扱い注意事項（例えば、洗濯時の注意等）、製造販売元等を印刷して実施してもよい。
【図面の簡単な説明】
【００２０】
【図１】本考案に係る衣類陳列展示具の斜視図である。
【図２】本考案に係る衣類陳列展示具の展開図である。
【図３】本考案に係る衣類陳列展示具の正面図である。
【図４】本考案に係る衣類陳列展示具の背面図である。
【図５】図３のＡ−Ａ線断面図である。
【図６】図３のＢ−Ｂ線断面図である。
【図７】本考案に係る衣類陳列展示具の概略斜視図である。
【図８】（Ａ）〜（Ｄ）は本考案の衣類陳列展示具に好適な衣類の種類を示す概略図である。
【符号の説明】
【００２１】
１    衣類陳列展示具
２    表面部
３    裏面部
４    折り曲げ部
５    衣類巻き付け部片
６    係止フック
７    衣類押さえ部片
８    衣類押さえ部片
９    衣類
１０    透孔
１１    背景部片
１２    係止片
１３    係止孔
【図１】
0003132597.tif 000003
【図２】
0003132597.tif 000004
【図３】
0003132597.tif 000005
【図４】
0003132597.tif 000006
【図５】
0003132597.tif 000007
【図６】
0003132597.tif 000008
【図７】
0003132597.tif 000009
【図８】
0003132597.tif 000010